(57)【要約】【課題】光アダプタに板バネを設けることなく、取り付け面に光アダプタを固定する。【解決手段】光アダプタ１の取り付け面である台座４上に、ハウジング部２の外表面又はフランジ部３と係合して光アダプタ１の取り付け面に垂直な方向の動きを係止する係止片６と、ハウジング部２の外表面及びフランジ部３に当接して光アダプタ１の取り付け面に水平な方向の動きを規制する押さえ５を設けた。【選択図】図４
2008076979.tif 000002
【特許請求の範囲】
【請求項１】
ハウジングと、前記ハウジングの外表面から突出するフランジ部を有した光アダプタを取り付け面上に固定する光アダプタ固定機構において、
前記取り付け面上に設けられ、前記ハウジングの外表面又は前記フランジ部と係合して
前記光アダプタの該取り付け面に垂直な方向の動きを係止する係止部と、
前記取り付け面上に設けられ、前記ハウジングの外表面及び前記フランジ部に当接して前記光アダプタの該取り付け面に水平な方向の動きを規制する押さえ部とを備えたことを特徴とする光アダプタ固定機構。
【請求項２】
係止部及び押さえ部は、取り付け面上にフランジ部を介して対向する位置に設けられ、
光アダプタは、前記フランジ部が前記係止部及び前記押さえ部に挟持されて前記取り付け面に水平な方向の動きが規制されることを特徴とする請求項１記載の光アダプタ固定機構。
【請求項３】
係止部及び押さえ部は、取り付け面に一体に形成されたことを特徴とする請求項１または請求項２記載の光アダプタ固定機構。
【請求項４】
ハウジングと、前記ハウジングの外表面から突出するフランジ部を有した光アダプタを、取り付け面に設けた開口部に前記ハウジング部又は前記フランジ部を差し込んで固定する光アダプタ固定機構において、
前記取り付け面上に設けられ、前記ハウジングの外表面又は前記フランジ部と係合して前記光アダプタの該取り付け面に垂直な方向の動きを係止する係止部を備えたことを特徴とする光アダプタ固定機構。
【請求項５】
係止部は、取り付け面に一体に形成されたことを特徴とする請求項４記載の光アダプタ固定機構。
【請求項６】
係止部は、ハウジングの外表面又はフランジ部と係合する鍵状部材からなることを特徴とする請求項１から請求項５のうちのいずれか１項記載の光アダプタ固定機構。
【請求項７】
請求項１から請求項６のうちのいずれか１項記載の光アダプタ固定機構を備えた光アダプタ実装機器。
【発明の詳細な説明】
【技術分野】
【０００１】
本発明は、光通信システムに用いられる光ファイバケーブルの光コネクタ同士を接続する光アダプタを取り付け面に固定する光アダプタ固定機構及びこれを備えた光アダプタ実装機器に関するものである。
【背景技術】
【０００２】
従来の光アダプタ固定機構には、例えば光アダプタに板バネを係止爪として設けておき、光アダプタの取り付け面に設けた開口部に該光アダプタを挿入し、係止爪を取り付け面に引っ掛けることにより光アダプタを固定するものがある。
【０００３】
また、特許文献１に開示される光アダプタ固定機構は、光アダプタに板バネ及び弾性片を設け、光アダプタの取り付け面にアダプタ支持用凸部を形成する。この構成において、アダプタ支持用凸部を光アダプタのフランジ部及び板バネの間に差し込むと、フランジ部及び板バネによってアダプタ支持用凸部が挟持されて、光アダプタが取り付け面に固定される（特許文献１、図２及び図５参照）。
【０００４】
【特許文献１】特開２００６−１４５５９７号公報
【発明の開示】
【発明が解決しようとする課題】
【０００５】
従来の光アダプタの固定機構は、以上のように構成されていたので、光アダプタを取り付け面に固定するためには光アダプタに板バネを設ける必要があり、板バネを使用しない場合であっても、ねじ等の他の部品で固定する必要があるという課題があった。また、板バネが金属で構成される場合、電磁障害（ＥＭＩ：Ｅｌｅｃｔｒｏ−Ｍａｇｎｅｔｉｃ  Ｉｎｔｅｒｆｅｒｅｎｃｅ）特性向上の妨げとなるという課題があった。
【０００６】
この発明は、上記のような課題を解決するためになされたもので、光アダプタに板バネを設けることなく、なおかつネジ等の他の部品を用いずにパネルや台座等の取り付け面に光アダプタを固定することができる光アダプタ固定機構及びこれを備えた光アダプタ実装機器を得ることを目的とする。
【課題を解決するための手段】
【０００７】
この発明に係る光アダプタ固定機構は、ハウジングと、前記ハウジングの外表面から突出するフランジ部を有した光アダプタを取り付け面上に固定する光アダプタ固定機構において、前記取り付け面上に設けられ、前記ハウジングの外表面又は前記フランジ部と係合して前記光アダプタの該取り付け面に垂直な方向の動きを係止する係止部と、前記取り付け面上に設けられ、前記ハウジングの外表面及び前記フランジ部に当接して前記光アダプタの該取り付け面に水平な方向の動きを規制する押さえ部とを備えるものである。
【発明の効果】
【０００８】
この発明によれば、光アダプタを固定する押さえ部及び係止部を取り付け面上に設けたので、板バネやネジ等の他の部品を用いることなく光アダプタを取り付け面に固定することができる。
【発明を実施するための最良の形態】
【０００９】
実施の形態１．
図１はこの発明の実施の形態１の光アダプタの斜視図であり、図２〜４は、この発明の実施の形態１による光アダプタ固定機構を示す斜視図である。この実施の形態１では、パネルや台座等の取り付け面上に光アダプタを固定する固定機構を示す。
図１に示すように、光アダプタ１はハウジング２とフランジ部３を備える。ハウジング２は光コネクタを挿入する挿入口２ａを両端に有し、各挿入口２ａに挿入された光コネクタ同士を接続するスリーブ等の接続部材（不図示）を内蔵する。フランジ部３はハウジング２に設けられ、挿入口２ａへの光コネクタ挿入方向に対して垂直方向にハウジングの外表面から突出している。
【００１０】
次に図２〜４に基づいて、実施の形態１に係る光アダプタ固定機構について説明する。
図２〜４では、樹脂成型品の台座４上に光アダプタ１を固定する固定機構を示している。ここで台座４とは、光アダプタ実装機器内に設けられ、機器内部内で光アダプタ１が取り付けられる。
図２に示すように、台座４上には一対の押さえ（押さえ部）５と一対の係止片（係止部）６が樹脂成型により一体形成されている。また、押さえ５と係止片６は、光アダプタ１を台座４上に固定した際、ハウジング２とフランジ部３から構成される角に当接する位置に形成されており、押さえ５同士及び係止片６同士がハウジング２を介して対向する位置に形成される。また、係止片６には撓み性が付与されており、係止片６の先端には係止爪（鍵状部材）７が設けられている。
【００１１】
次に光アダプタ１を台座４へ装着する動作について説明する。押さえ５と係止片６との間にフランジ部３が位置するように上方から光アダプタ１を差し込むと、係止爪７に形成したガイド用傾斜部７ａに沿って光アダプタ１が係止片６を押し開ける。更に光アダプタ１を押し下げるとハウジング２と係止爪７のガイド用傾斜部７ａとの当接が解放され、係止爪７がハウジング２上に引っ掛かるように当接する。これにより、光アダプタ１の台座４に垂直な方向の動きが係止される。また、押さえ５と係止片６は、ハウジング２とフランジ部３から構成される角に当接するので、光アダプタ１は押さえ５と係止片６によりがたつきなく挟持される。これにより、光コネクタを光アダプタ１に挿抜する際の光アダプタ１の台座４に水平な方向の動きが規制される。  
【００１２】
図３はこの発明の実施の形態１による光アダプタ固定機構の他の構成を示す図である。図３に示すように、台座４上には一対の押さえ５と一対の係止片６が樹脂成型により一体形成されている。また、押さえ５と係止片６は、光アダプタ１を台座４上に固定した際、ハウジング２とフランジ部３から構成される角に当接する位置に形成されており、押さえ５同士及び係止片６同士がハウジング２を介して対向する位置に形成される。また、係止片６には撓み性が付与されており、係止片６の先端には係止爪７が設けられている。図２と異なる点は、係止爪７がフランジ部３上に引っ掛かる位置に形成される点である。
【００１３】
次に光アダプタ１を台座４へ装着する動作について説明する。押さえ５と係止片６との間にフランジ部３が位置するように上方から光アダプタ１を差し込むと、係止爪７に形成したガイド用傾斜部７ａに沿って光アダプタ１が係止片６を押し開ける。更に光アダプタ１を押し下げるとフランジ部３と係止爪７のガイド用傾斜部７ａとの当接が解放され、係止爪７がフランジ部３上に引っ掛かるように当接する。これにより、光アダプタ１の台座４に垂直な方向の動きが係止される。また、押さえ５と係止片６は、ハウジング２とフランジ部３から構成される角に当接するので、光アダプタ１は押さえ５と係止片６によりがたつきなく挟持される。これにより、光コネクタを光アダプタ１に挿抜する際の光アダプタ１の台座４に水平な方向の動きが規制される。
【００１４】
なお、図２で示すように係止爪７の当接部がハウジング２であっても、図３で示すように係止爪７の当接部がフランジ部３であっても、同様の効果が得られる。
また、一方の係止爪７がハウジング２に当接し、もう一方の係止爪７がフランジ部３に当接するように形成した場合であっても同様の効果が得られる。
【００１５】
図４はこの発明の実施の形態１による光アダプタ固定機構の他の構成を示す図である。図４に示すように、台座４上には４つの押さえ５と一対の係止片６が樹脂成型により一体形成されている。また、光アダプタ１を台座４上に固定した際、４つの押さえ５はハウジング２とフランジ部３から構成される角に当接する位置に形成され、係止片６はフランジ部３端部に当接する位置に形成される。また、係止片６には撓み性が付与されており、係止片６の先端には係止爪７が設けられている。図２と異なる点は、４つの押さえ５が光アダプタ１を挟持する位置に設けられており、また係止爪７が係止状態で、フランジ部３端部上に引っ掛かる位置に形成される点である。
【００１６】
次に光アダプタ１を台座４へ装着する動作について説明する。押さえ５の間にフランジ部３が位置するように上方から光アダプタ１を差し込むと、係止爪７に形成したガイド用傾斜部７ａに沿って光アダプタ１が係止片６を押し開ける。更に光アダプタ１を押し下げるとフランジ部３端部と係止爪７のガイド用傾斜部７ａとの当接が開放され、係止爪７がフランジ部３端部上に引っ掛かるように当接する。これにより、光アダプタ１の台座４に垂直な方向の動きが係止される。また、押さえ５はハウジング２とフランジ部３から構成される角に当接するので、光アダプタ１は押さえ５によりがたつきなく挟持される。これにより、光コネクタを光アダプタ１に挿抜する際の光アダプタ１の台座４に水平な方向の動きが規制される。
【００１７】
図５は、この発明の実施の形態１に係る光アダプタ固定機構を備えた光アダプタ実装機器の斜視図である。台座４上には押さえ５と係止片６が樹脂成型により一体形成されており、光アダプタ１は押さえ５と係止片６により固定されている。図５において、光コネクタ８が設置される部分は凹み部となっており、段差部分が押さえ５を構成している。光ファイバ９の先端に取り付けられている光コネクタ８は、台座４上固定されている光アダプタ１に接続される。光ファイバ９は台座４上に巻き付けられ、光モジュール等に接続される。
【００１８】
以上のように、実施の形態１によれば、押さえと係止片を樹脂成型により台座上に一体に形成するようにしたので、部品を増やすことなく押さえや係止片を設置することができ、コストを削減することができる。また、光アダプタを台座に固定する際に、台座上に設けた押さえと係止片により光アダプタを固定するように構成したので、光アダプタに板バネを設置することなく台座に固定可能となる。また、ネジ等の他の部品を必要とせず光アダプタを固定することができる。そのため、電気を通す金属材料の板バネやネジを用いることなく固定可能となるためＥＭＩ特性への影響を軽減させることができる。
【００１９】
なお、上記実施の形態１では、台座を取り付け面とした例を示したが、機器内部と外部の光コネクタを接続する光アダプタを取り付けるパネルを取り付け面としてもよい。
【００２０】
実施の形態２．
図６〜８は、この発明の実施の形態２による光アダプタ固定機構を示す斜視図である。
図６〜８に基づいて、実施の形態２に係る光アダプタ固定機構について説明する。この実施の形態２では、パネルや台座等の取り付け面に設けた開口部に光アダプタを挿入して固定する固定機構を示す。光アダプタ１は実施の形態１と同様のものである。
図６〜８では、樹脂成型品のパネル１０上に光アダプタ１を固定する固定機構を示している。
【００２１】
図６に示すように、パネル１０にはハウジング２を嵌合する角穴（開口部）１１が形成されている。また、パネル１０には一対の係止片６が樹脂成型により一体形成されている。係止片６は、光アダプタ１をパネル１０上に固定した際、フランジ部３端部に当接する位置に形成される。また、係止片６には撓み性が付与されており、係止片６の先端には係止爪７が設けられている。
【００２２】
次に光アダプタ１をパネル１０へ装着する動作について説明する。パネル１０に設けられた角穴１１にハウジング２を挿入すると、係止爪７に形成したガイド用傾斜部７ａに沿って光アダプタ１が係止片６を押し開ける。更に光アダプタ１を押し下げるとフランジ部３の底面がパネル１０に接触し、フランジ部３端部と係止爪７のガイド用傾斜部７ａとの当接が解放され、係止爪７がフランジ部３端部上に引っ掛かるように当接する。これにより、光アダプタ１のパネル１０に垂直な方向の動きが係止される。即ち、光コネクタを光アダプタ１に挿抜する際の動きが規制される。また、係止片６はフランジ部３端部に当接し、ハウジング２は角穴１１に嵌合しているので、光アダプタ１は係止片６と角穴１１によりがたつきなく固定される。
【００２３】
図７はこの発明の実施の形態２による光アダプタ固定機構の他の構成を示す図である。図７に示すように、パネル１０にはハウジング２を嵌合する角穴１１が形成されている。また、パネル１０には各フランジ部３に対して一対の係止片６が樹脂成型により一体形成されている。係止片６は、光アダプタ１をパネル１０上に固定した際、係止片６同士がフランジ部３を介して対向する位置に形成される。また、係止片６には撓み性が付与されており、係止片６の先端には係止爪７が設けられている。図６と異なる点は、係止片６が４つ設けられており、一対の係止片６がフランジ部３のそれぞれに当接する位置に形成される点である。
【００２４】
次に光アダプタ１をパネル１０へ装着する動作をについて説明する。パネル１０に設けられた角穴１１にハウジング２を挿入すると、係止爪７に形成したガイド用傾斜部７ａに沿って光アダプタ１が係止片６を押し開ける。更に光アダプタ１を押し下げるとフランジ部３の底面がパネル１０に接触し、フランジ部３と係止爪７のガイド用傾斜部７ａとの当接が解放され、係止爪７がフランジ部３上に引っ掛かるように当接する。これにより、光アダプタ１のパネル１０に垂直な方向の動きが係止される。即ち、光コネクタを光アダプタ１に挿抜する際の動きが規制される。また、係止片６はフランジ部３に当接し、ハウジング２は角穴１１に嵌合しているので、光アダプタ１は係止片６と角穴１１によりがたつきなく固定される。
【００２５】
なお、図６に示すように係止片６の当接部がフランジ部３端部であっても、図７に示すように係止片６の当接部がフランジ部３端部以外であっても、同様の効果が得られる。
また、係止片数を増やした場合でも同様の効果が得られる。例えば、図６及び図７に示した構成を合わせたもの、つまりフランジ部３を介して互いに対向する一対の係止片６を設け、更にフランジ部３端部に一つの係止片６が当接するように形成しても同様の効果が得られる。
【００２６】
図８はこの発明の実施の形態２による光アダプタ固定機構の他の構成を示す図である。図８に示すように、パネル１０にはフランジ部３を嵌合する角穴１１が形成されている。また、パネル１０には各ハウジング２に対して一対の係止片６が樹脂成型により一体形成されている。係止片６は、光アダプタ１をパネル１０上に固定した際、係止片６同士がハウジング２を介して対向する位置に形成される。係止片６には撓み性が付与されており、係止片６の先端には係止爪７が設けられている。図６と異なる点は、フランジ部３を挿入する角穴１１が形成され、また４つの係止片６はハウジング２の外表面に当接する位置に形成される点である。
【００２７】
次に光アダプタ１をパネル１０へ装着する動作について説明する。パネル１０に設けられた角穴１１に光アダプタ１のフランジ部３を挿入すると、係止爪７に形成したガイド用傾斜部７ａに沿って光アダプタ１が係止片６を押し開ける。更に光アダプタ１を押し下げるとハウジング２の底面がパネル１０に接触し、ハウジング２と係止爪７のガイド用傾斜部７ａとの当接が開放され、係止爪７がハウジング２上に引っ掛かるように当接する。これにより、光アダプタ１はパネル１０に垂直な方向の動きが係止される。また、係止片６はハウジング２に当接し、フランジ部３は角穴１１に嵌合しているので、光アダプタ１は係止片６と角穴１１によりがたつきなく固定される。これにより、光コネクタを光アダプタ１に挿抜する際の光アダプタ１のパネル１０に水平な方向の動きが規制される。      
【００２８】
以上のように、実施の形態２によれば、係止片を樹脂成型によりパネル上に一体に形成するようにしたので、部品を増やすことなく係止片を設置することができ、コストを削減することができる。また、光アダプタをパネルに固定する際に、パネル上に設けた係止片と角穴により光アダプタを固定するように構成したので、光アダプタに板バネを設置することなくパネルに固定可能となる。また、ネジ等の他の部品を必要とせず光アダプタを固定することができる。そのため、電気を通す金属材料の板バネやネジを用いることなく固定可能となるためＥＭＩ特性への影響を軽減させることができる。
【００２９】
なお、上記実施の形態２では、パネルを取り付け面とした例を示したが、台座を取り付け面としてもよい。
【図面の簡単な説明】
【００３０】
【図１】この発明に係る光アダプタの斜視図である。
【図２】この発明の実施の形態１に係る光アダプタ固定機構の斜視図である。
【図３】この発明の実施の形態１に係る光アダプタ固定機構の斜視図である。
【図４】この発明の実施の形態１に係る光アダプタ固定機構の斜視図である。
【図５】この発明の実施の形態１に係る光アダプタ固定機構を備えた光アダプタの実装機器の斜視図である。
【図６】この発明の実施の形態２に係る光アダプタ固定機構の斜視図である。
【図７】この発明の実施の形態２に係る光アダプタ固定機構の斜視図である。
【図８】この発明の実施の形態２に係る光アダプタ固定機構の斜視図である。
【符号の説明】
【００３１】
１  光アダプタ、２  ハウジング、２ａ  挿入孔、３  フランジ部、４  台座、５  押さえ（押さえ部）、６  係止片（係止部）、７  係止爪（鍵状部材）、７ａ  ガイド用傾斜部、８  光コネクタ、９  光ファイバ、１０  パネル、１１  角穴（開口部）。
【図１】
2008076979.tif 000003
【図２】
2008076979.tif 000004
【図３】
2008076979.tif 000005
【図４】
2008076979.tif 000006
【図５】
2008076979.tif 000007
【図６】
2008076979.tif 000008
【図７】
2008076979.tif 000009
【図８】
2008076979.tif 000010